(57)【要約】【課題】使用者が浴槽内の残湯の確認をせずに高速湯張りをしようとした場合にも、浴槽から湯を溢れさせない。また、浴槽に残湯がない場合には、短時間で湯張りする。【解決手段】使用者が湯張りを行う際に浴槽６内に残湯がないことを確認した場合には、高速湯張り手段１９にて、注湯電磁弁５を開け流量検出手段１１が、前回注湯量記憶手段１３の記憶している前回注湯量の９０％の注湯を検出すると、注湯電磁弁５を閉じる。この時の浴槽の水位を水位センサ８より検出し浴槽水位検出手段１２により設定水位になっているかの判定をする。浴槽６の水位が設定水位になっている場合は、浴槽６の湯を設定温度まで沸き上げて保温するので、浴槽６に残湯がある場合に、使用者が浴槽６内の確認をせずに湯張り時間を短縮しようとした場合にも、浴槽６から湯を溢れさせない。また、浴槽６に残湯がない場合には、短時間で湯張りすることができる。【選択図】図１
2006071218.tif 000002
【特許請求の範囲】
【請求項１】
給水からの水を湯に換える熱交換器と、前記熱交換器を流れる流量を測定する流量検出手段と、前記熱交換器から浴槽に湯を注湯する注湯制御弁と、前記注湯制御弁を開け浴槽に湯張りを行う湯張り手段と、前記湯張り手段により浴槽に注湯した流量を前記流量検出手段より検出し記憶する前回注湯量記憶手段と、前記前回注湯量記憶手段に記憶している前回注湯量を利用して浴槽に注湯する高速湯張り手段と、前記湯張り手段と高速湯張り手段の切換えを行う湯張り切換え手段を備えた注湯制御装置。
【請求項２】
浴槽の水位を検出する水位センサと、前記水位センサの出力値より浴槽水位を検出する浴槽水位検出手段と、前記水位センサと前記流量検出手段から浴槽断面積を算出し記憶する浴槽断面積記憶手段と、前記水位センサにより検出する浴槽内の水位で浴槽と熱源機を配管にて接続する浴槽アダプター付近を基準水位とし、基準水位までの注湯量を記憶する基準水位記憶手段を備えた請求項１記載の注湯制御装置。
【請求項３】
水位センサと基準水位より浴槽内に残湯があるかないかを検出する浴槽残湯有無検出を備えた請求項２記載の注湯制御装置。
【請求項４】
熱源機のリモコン等により浴槽に湯張りする水位設定を行う水位設定手段と、前記水位設定手段により浴槽の水位設定を変更したことを判定する水位設定変更検出手段と、浴槽断面積記憶手段と基準水位記憶手段から浴槽の設定水位までの注湯量を算出する注湯量演算手段と、前記水位設定変更検出手段により水位設定に変更があった場合には前記前回注湯量記憶手段により記憶している前回注湯量を利用せず注湯量演算手段により算出した注湯量を利用して浴槽に注湯する高速湯張り手段を備えた請求項２または３記載の注湯制御装置。
【請求項５】
高速湯張り手段による湯張りを使用者により操作できる高速湯張り操作手段を備えた請求項１〜４のいずれか１項に記載の注湯制御装置。
【請求項６】
高速湯張り手段による湯張り動作中であることを表示する高速湯張り中表示手段を備えた請求項１〜５のいずれか１項に記載の注湯制御装置。
【請求項７】
高速湯張り手段による湯張り動作を何らかの事由により中断した場合に、高速湯張りを中断したことを表示する高速湯張り中断表示手段を備えた請求項１〜６のいずれか１項に記載の注湯制御装置。
【発明の詳細な説明】
【技術分野】
【０００１】
本発明は家庭用自動風呂給湯機の浴槽への注湯制御装置に関するものである。
【背景技術】
【０００２】
従来、例えば、ふろ給湯機では、浴槽に湯を張る際に、浴槽が空であることを使用者が認識している場合には、通常湯張り操作とは別に特殊な操作により、湯張りを開始し水位センサおよびふろポンプを循環させて浴槽内に残水量の確認動作を行わずに、設定水位まで湯張りを一度で行い湯張り時間を短縮していた（例えば特許文献１参照）。
【特許文献１】特開平１１−２９４８４７号公報
【発明の開示】
【発明が解決しようとする課題】
【０００３】
しかしながら、浴槽に残湯がある場合に、使用者が浴槽内の確認をせず特殊な操作して湯張り時間を短縮しようとすると設定水位まで湯張りを一度で行うために、浴槽から湯が溢れてしまうという課題があった。
【０００４】
本発明は、上記課題を解決するもので、浴槽に残湯がある場合に、使用者が浴槽内の確認をせずに湯張り時間を短縮しようとした場合にも、浴槽から湯を溢れさせない。また、浴槽に残湯がない場合には、短時間で湯張りすることを目的とする。
【課題を解決するための手段】
【０００５】
前記従来の課題を解決するために、本発明の注湯制御装置は、給水からの水を湯に換える熱交換器と、前記熱交換器を流れる流量を測定する流量検出手段と、前記熱交換器から浴槽に湯を注湯する注湯制御弁と、前記注湯制御弁を開け浴槽に湯張りを行う湯張り手段と、前記湯張り手段により浴槽に注湯した流量を前記流量検出手段より検出し記憶する前回注湯量記憶手段と、前記前回注湯量記憶手段に記憶している前回注湯量を利用して浴槽に注湯する高速湯張り手段と、前記湯張り手段と高速湯張り手段の切換えを行う湯張り切換え手段を備えた注湯制御装置としたものである。
【０００６】
これによって、記憶している前回注湯量を利用して浴槽に注湯することで、水位センサを搭載していない注湯制御装置においても湯張り時間を短縮することとなる。
【０００７】
また、本発明の注湯制御装置は、浴槽の水位を検出する水位センサと、前記水位センサの出力値より浴槽水位を検出する浴槽水位検出手段と、前記水位センサと前記流量検出手段から浴槽断面積を算出し記憶する浴槽断面積記憶手段と、前記水位センサにより検出する浴槽内の水位で浴槽と熱源機を配管にて接続する浴槽アダプター近傍を基準水位とし、基準水位までの注湯量を記憶する基準水位記憶手段を備えた注湯制御装置としたものである。
【０００８】
これによって、記憶している前回注湯量を利用して浴槽に前回注湯量の一部を注湯後に水位センサにより浴槽の水位を確認し、設定水位との差を確認して残りの注湯量を注湯することで、浴槽に残湯がある場合に、使用者が浴槽内の確認をせずに湯張り時間を短縮しようとした場合にも、浴槽から湯を溢れさせない。また、浴槽に残湯がない場合には、短時間で湯張りすることとなる。
【０００９】
また、本発明の注湯制御装置は、前記水位センサと前記基準水位より浴槽内に残湯があるかないかを検出する浴槽残湯有無検出を備えた注湯制御装置としたものである。
【００１０】
これにより、湯張り前に浴槽の残湯有無を検出でき、浴槽に残湯がある場合には、高速湯張りを行わず、前記湯張り手段により水位センサにより算出した注湯量を使用して注湯することで、使用者が浴槽内の確認をせずに湯張り時間を短縮しようとした場合にも、浴槽から湯を溢れさせない。また、浴槽に残湯がない場合には、短時間で湯張りすることとなる。
【００１１】
また、本発明の注湯制御装置は、熱源機のリモコン等により浴槽に湯張りする水位設定を行う水位設定手段と、前記水位設定手段により浴槽の水位設定を変更したことを判定する水位設定変更検出手段と、前記浴槽断面積記憶手段と前記基準水位記憶手段から浴槽の設定水位までの注湯量を算出する注湯量演算手段と、前記水位設定変更検出手段により水位設定に変更があった場合には前記前回注湯量記憶手段により記憶している前回注湯量を利用せず前記注湯量演算手段により算出した注湯量を利用して浴槽に注湯する高速湯張り手段を備えた注湯制御装置としたものである。
【００１２】
これにより、水位設定を変更された場合には、前回注湯量を使用せずに、水位設定と浴槽断面積から算出した注湯量を使用して注湯することで、使用者が水位設定を変更した後に湯張り時間を短縮しようとした場合にも、短時間で湯張りすることとなる。
【００１３】
また、本発明の注湯制御装置は、高速湯張り手段による湯張りを使用者により操作できる高速湯張り操作手段を備えた注湯制御装置としたものである。
【００１４】
これにより、使用者が特殊な操作をすることで、湯張り時間を短縮し高速湯張りをしたいかどうかを選択することとなる。
【００１５】
また、本発明の注湯制御装置は、高速湯張り手段による湯張り動作中であることを表示する高速湯張り中表示手段を備えた注湯制御装置としたものである。
【００１６】
これにより、使用者が湯張り時間を短縮しようとし、高速湯張り動作中であることがわかる。
【００１７】
また、本発明の注湯制御装置は、高速湯張り手段による湯張り動作を何らかの事由により中断した場合に、高速湯張りを中断したことを表示する高速湯張り中断表示手段を備えた注湯制御装置としたものである。
【００１８】
これにより、使用者が湯張り時間を短縮しようとし、高速湯張り中であったが、浴槽に残湯があった等何らかの事由により高速湯張りを中断したことがわかる。
【発明の効果】
【００１９】
本発明の注湯制御装置は、浴槽に残湯がある場合に、使用者が浴槽内の確認をせずに特殊な操作をして湯張り時間を短縮しようとした場合に、浴槽の残湯がある場合には、高速湯張りを行わずに湯張り運転を行うことで、浴槽から湯を溢れない。また、浴槽の残湯がない場合には、短時間で湯張りすることができる。
【発明を実施するための最良の形態】
【００２０】
第１の発明は給水からの水を湯に換える熱交換器と、前記熱交換器を流れる流量を測定する流量検出手段と、前記熱交換器から浴槽に湯を注湯する注湯制御弁と、前記注湯制御弁を開け浴槽に湯張りを行う湯張り手段と、前記湯張り手段により浴槽に注湯した流量を前記流量検出手段より検出し記憶する前回注湯量記憶手段と、前記前回注湯量記憶手段に記憶している前回注湯量を利用して浴槽に注湯する高速湯張り手段と、前記湯張り手段と高速湯張り手段の切換えを行う湯張り切換え手段を備えた注湯制御装置とすることにより、記憶している前回注湯量を利用して浴槽に注湯することで、水位センサを搭載していない注湯注湯制御装置においても湯張り時間を短縮することができる。
【００２１】
第２の発明は、特に、第１の発明に浴槽の水位を検出する水位センサと、前記水位センサの出力値より浴槽水位を検出する浴槽水位検出手段と、前記水位センサと流量検出手段から浴槽断面積を算出し記憶する浴槽断面積記憶手段と、前記水位センサにより検出する浴槽内の水位で浴槽と熱源機を配管にて接続する浴槽アダプター近傍を基準水位とし、基準水位までの注湯量を記憶する基準水位記憶手段を備えた注湯制御装置とすることにより、記憶している前回注湯量を利用して浴槽に前回注湯量の一部を注湯後に水位センサにより浴槽の水位を確認し、設定水位との差を確認して残りの注湯量を注湯することで、浴槽に残湯がある場合に、使用者が浴槽内の確認をせずに湯張り時間を短縮しようとした場合には、浴槽から湯が溢れずに、浴槽に残湯がない場合には、短時間で湯張りすることができる。
【００２２】
第３の発明は、特に、第１または第２の発明の水位センサと基準水位より浴槽内に残湯があるかないかを検出する浴槽残湯有無検出を備えた注湯制御装置とすることにより、湯張り前に浴槽の残湯有無を検出でき、浴槽に残湯がある場合には、高速湯張りを行わず、湯張り手段により設定まで算出した注湯量を使用して注湯することで、使用者が浴槽内の確認をせずに湯張り時間を短縮しようとした場合にも、浴槽から湯が溢れさせない。また、浴槽に残湯がない場合には、短時間で湯張りすることができる。
【００２３】
第４の発明は、特に、第１〜３のいずれか１つの発明の注湯制御装置にリモコン等により浴槽に湯張りする水位設定を行う水位設定手段と、前記水位設定手段により浴槽の水位設定を変更したことを判定する水位設定変更検出手段と、浴槽断面積記憶手段と基準水位記憶手段から浴槽の設定水位までの注湯量を算出する注湯量演算手段と、前記水位設定変更検出手段により水位設定に変更があった場合には前回注湯量記憶手段により記憶している前回注湯量を利用せず前記注湯量演算手段により算出した注湯量を利用して浴槽に注湯する高速湯張り手段を備えた注湯制御装置とすることにより、水位設定を変更された場合には、前回注湯量を使用せずに、水位設定と浴槽断面積から算出した注湯量を使用して注湯することで、使用者が水位設定を変更した後に湯張り時間を短縮しようとした場合にも、短時間で湯張りすることができる。
【００２４】
第５の発明は、特に、第１〜４のいずれか１つの発明の注湯制御装置に、高速湯張り手段による湯張りを使用者により操作できる高速湯張り操作手段を備えた注湯制御装置とすることにより、使用者が特殊な操作をすることで、湯張り時間を短縮し高速湯張りをしたいかどうかを選択することができる。
【００２５】
第６の発明は、特に、第１〜５のいずれか１つの発明の注湯制御装置に、高速湯張り手段による湯張り動作中であることを表示する高速湯張り中表示手段を備えた注湯制御装置とすることにより、使用者が湯張り時間を短縮しようとし、高速湯張り動作中であることがわかる。
【００２６】
第７の発明は、特に、第１〜６のいずれか１つの発明の注湯制御装置に、高速湯張り手段による湯張り動作を何らかの事由により中断した場合に、高速湯張りを中断したことを表示する高速湯張り中断表示手段を備えた注湯制御装置とすることにより、使用者が湯張り時間を短縮しようとし、高速湯張り中であったが、浴槽に残湯があった等何らかの事由により高速湯張りを中断したことがわかる。
【００２７】
以下、本発明の実施の形態について、図面を参照しながら説明する。なお、この実施の形態によって本発明が限定されるものではない。
【００２８】
（実施の形態１）
図１は、本発明の第１の実施の形態としての給湯機の構成図である。また図２、図３は、本発明の実施の形態の制御動作を示すフローチャートである。１は熱源機リモコンで、熱源機と通信を行い自動湯張り等の操作指示を行うものである。２は熱交換器で水を湯に換える。３は給湯流量センサで熱交換器内に流れる流量を検出するものである。５は注湯電磁弁で、熱交換器２からの湯を浴槽６に流す際に開ける。７はふろポンプで、浴槽６に湯がある場合に浴槽の湯を循環することができる。８は水位センサで、浴槽６内の水位を浴槽の配管を通して圧力センサにより検出する。９はふろ水流スイッチで、ふろポンプ７を回転させて、浴槽６の湯を循環させて浴槽６内に湯があるかどうかを検出することができる。１１は流量検出手段で、給湯水量センサ３からの流量を検出し、湯張り時には浴槽６に湯張りした注湯量を検出する。１２は浴槽水位検出手段で水位センサ８からの圧力を浴槽６内の湯の水位として検出する。１３は前回注湯量記憶手段で流量検出手段１１により検出した前回湯張り時の注湯量を記憶する。１４は浴槽断面積記憶手段で初回湯張り時やふろ試運転時に、流量検出手段１１や浴槽水位検出手段１２から浴槽断面積を算出し記憶する。１５は基準水位記憶手段で初回湯張り時やふろ試運転時に、浴槽６の水位が浴槽アダプター付近にあることを浴槽水位検出手段１２やふろポンプ７を回転させた時にふろ水流スイッチ９がオンすることにより検出した水位を基準水位とし基準水位と、基準水位まで注湯した注湯量を記憶する。１６は注湯量演算手段で基準水位記憶手段１５により記憶している基準水位までの注湯量と、浴槽水位検出手段１２からの浴槽の水位と基準水位記憶手段１５により記憶している基準水位との水位差と浴槽断面積記憶手段１４にて記憶している浴槽断面積から設定水位までの注湯量を演算する。１７は浴槽残湯有無検出手段で、浴槽水位検出手段１２により検出する浴槽の水位が、基準水位記憶手段１５が記憶している基準水位よりも高いと判断した場合には、浴槽に残湯が有ると判定し、浴槽水位検出手段１２により検出する浴槽の水位が、基準水位記憶手段１５が記憶している基準水位よりも低いと判断した場合には、浴槽に残湯が無いと判定する。１８は湯張り手段で注湯電磁弁５を開け浴槽６に湯張りを行う。この際浴槽水位検出手段１２や浴槽断面積記憶手段１４、基準水位記憶手段１５、注湯量演算手段１６より算出される注湯量を使用して注湯する。１９は高速湯張り手段で、前回注湯量記憶手段１３に前回湯張り時の注湯量の記憶がある場合は、前回注湯量を使用して浴槽６に湯張りを行う。また、前回注湯量記憶手段１３に前回湯張り時の注湯量の記憶がない場合は、浴槽水位検出手段１２や浴槽断面積記憶手段１４、基準水位記憶手段１５、注湯量演算手段１６より算出される注湯量を使用して注湯する。２２は自動湯張りスイッチで浴槽６に湯張りをさせる操作手段である。２３は高速湯張り操作手段で浴槽６に湯張りする時間の短縮をさせる操作スイッチである。２４は高速湯張り中表示手段で高速湯張り操作手段２３を操作して注湯動作中に表示させる。２６は水位設定変更検出手段で、水位設定手段２５により設定水位を変更されたことを検出する。２７は、高速湯張り中断表示手段で、高速湯張り操作手段２３を操作して高速湯張り中表示手段２４により高速湯張り動作中を表示している際に、高速湯張り運転できなくなった場合に高速湯張りが出来なくなったことを表示させる。なお、２８は給湯機本体、２９はその制御部である。
【００２９】
以上のように構成された給湯機について、以下その動作、作用を説明する。
【００３０】
まず、本発明の第１の手段の動作について説明する。熱源機リモコン１の自動スイッチ２２をオンすると注湯電磁弁５を開け、浴槽６へ湯張りを開始する。この際の湯張りは、湯張り手段１８により行う。流量検出手段１１により所定流量（１０Ｌ）注湯したことを確認すると注湯電磁弁５を閉じる、ふろポンプ７を回転させてふろ水流スイッチ９がオンするかオフのままかを確認する。ふろ水流スイッチ９がオンすれば浴槽６に残湯があると判断し注湯せず浴槽６の湯を設定温度まで沸き上げて保温する。また、ふろ水流スイッチ９がオフの場合は、再度注湯電磁弁５を開け、湯張り手段１８により浴槽６へ湯張りを行う。流量検出手段１１により設定流量まで注湯したことを確認すると注湯電磁弁５を閉じ浴槽６の湯を設定温度まで沸き上げて保温する。この際前回注湯量記憶手段１３により流量検出手段１１により湯張りした総流量を記憶する。次に使用者が湯張りを行う際に浴槽６内に残湯がないことを確認した場合には、湯張り切換え手段２０により高速湯張り手段１９により、注湯電磁弁５を開け流量検出手段１１が、前回注湯量記憶手段１３の記憶している前回の注湯量を検出すると、注湯電磁弁５を閉じ浴槽６の湯を設定温度まで沸き上げて保温することで、水位センサを搭載していない注湯注湯制御装置においても湯張時間を短縮することができる。
【００３１】
（実施の形態２）
図１は、本発明の第２の実施の形態としての給湯機の構成図である。また図２、図３は、本発明の実施の形態の制御動作を示すフローチャートである。実施の形態１と同様の構成についての説明は省略する。
【００３２】
熱源機リモコン１の自動スイッチ２２をオンすると、基準水位記憶手段１５の基準水位の記憶がない場合やふろ試運転時は、注湯電磁弁５を開け、浴槽６へ湯張りを開始する。この際の湯張りは、湯張り手段１８により行う。流量検出手段１１により所定流量（１０Ｌ）注湯したことを確認すると注湯電磁弁５を閉じる。次にふろポンプ７を回転させてふろ水流スイッチ９がオンするかオフのままかを確認する。ふろ水流スイッチ９がオンすれば浴槽６に残湯があると判断し注湯せず浴槽６の湯を設定温度まで沸き上げて保温する。また、ふろ水流スイッチ９がオフの場合は、再度注湯電磁弁５を開け、湯張り手段１８により浴槽６へ湯張りを行う。流量検出手段１１により所定流量（１０Ｌ）まで注湯したことを確認すると注湯電磁弁５を閉じる。次にふろポンプ７を回転させてふろ水流スイッチ９がオンするかオフのままかを確認する。この処理をふろ水流スイッチ９がオンするまで、繰り返して行うことで、浴槽６の水位が浴槽アダプター１０との接続口まで湯張りできていることを確認する。この時の浴槽の水位を水位センサ８より検出し浴槽水位検出手段１２により一旦記憶する（Ｈ１）。次に注湯電磁弁５を開け、湯張り手段１８により浴槽６へ湯張りを行う。流量検出手段１１により所定流量（４０Ｌ）まで注湯したことを確認すると注湯電磁弁５を閉じる。この時の浴槽の水位を水位センサ８より検出し浴槽水位検出手段１２により記憶する（Ｈ２）。この水位Ｈ２の水位は基準水位記憶手段１５に基準水位として記憶する。浴槽断面積記憶手段１４は、水位Ｈ２と水位Ｈ１の水位差と、流量検出手段１１により所定流量（４０Ｌ）まで注湯した注湯量Ｑ１から浴槽の断面積を算出し記憶する（式１）。
【００３３】
浴槽断面積ｑ＝Ｑ１／（水位Ｈ２―水位Ｈ１）…（式１）
次に注湯電磁弁５を開け、湯張り手段１８により浴槽６へ湯張りを行う。流量検出手段１１により設定流量まで注湯したことを確認すると注湯電磁弁５を閉じ浴槽６の湯を設定温度まで沸き上げて保温する。この際前回注湯量記憶手段１３により流量検出手段１１により湯張りした総流量を記憶する。
【００３４】
基準水位記憶手段１５の基準水位の記憶がある場合で、使用者が湯張りを行う際に浴槽６内に残湯がないことを確認した場合には、湯張り切換え手段２０により高速湯張り手段１９にて、注湯電磁弁５を開け流量検出手段１１が、前回注湯量記憶手段１３の記憶している前回注湯量の９０％の注湯を検出すると、注湯電磁弁５を閉じる。この時の浴槽の水位を水位センサ８より検出し浴槽水位検出手段１２により設定水位になっているかの判定をする。浴槽６の水位が設定水位になっている場合は、浴槽６の湯を設定温度まで沸き上げて保温する。浴槽６の水位が設定水位になっていない場合は、浴槽水位検出手段１２により設定水位までの注湯量を算出し、注湯電磁弁５を開け、湯張り手段１８により浴槽６へ湯張りを行う。流量検出手段１１により設定流量まで注湯したことを確認すると注湯電磁弁５を閉じ浴槽６の湯を設定温度まで沸き上げて保温する。これによって、記憶している前回注湯量を利用して浴槽に前回注湯量の一部を注湯後に水位センサにより浴槽の水位を確認し、設定水位との差を確認して残りの注湯量を注湯することで、浴槽６に残湯がある場合に、使用者が浴槽６内の確認をせずに湯張り時間を短縮しようとした場合にも、浴槽６から湯が溢れさせない。また、浴槽６に残湯がない場合には、短時間で湯張りすることができる。
【００３５】
（実施の形態３）
図１は、本発明の第３の実施の形態としての給湯機の構成図である。また図２、図３は、本発明の実施の形態の制御動作を示すフローチャートである。実施の形態１と同様の構成についての説明は省略する。
【００３６】
熱源機リモコン１の自動スイッチ２２をオンする前に、浴槽残湯有無検出手段１７により浴槽６の残湯が基準水位記憶手段１５の記憶している基準水位よりも高い場合には、浴槽６に残湯があることを判断して、湯張り切換え手段２０により高速湯張り手段１９を使用せずに湯張り手段１８を使用して湯張りを行うことで、浴槽６に残湯がある場合に、使用者が浴槽６内の確認をせずに湯張り時間を短縮しようとした場合にも、浴槽６から湯を溢れさせない。また、浴槽６に残湯がない場合には、短時間で湯張りすることができる。
【００３７】
（実施の形態４）
図１は、本発明の第４の実施の形態としての給湯機の構成図である。また図２、図３は、本発明の実施の形態の制御動作を示すフローチャートである。実施の形態１と同様の構成についての説明は省略する。
【００３８】
熱源機リモコン１の水位設定手段２５により水位設定を変更した場合には、水位設定変更検出手段２６により水位設定の変更を検出し前回注湯量記憶手段１３の記憶している前回注湯量を使用せずに、浴槽断面積記憶手段１４に記憶している浴槽断面積と
基準水位記憶手段１５により記憶している基準水位までの注湯量から注湯量演算手段１６により設定水位までの注湯量を算出する（式２）。
【００３９】
注湯量＝基準水位までの注湯量（Ｑ０）＋浴槽断面積ｑ×（設定水位―水位Ｈ２）
…（式２）
湯張り切換え手段２０により高速湯張り手段１９にて、注湯電磁弁５を開け流量検出手段１１が、注湯量演算手段１６により算出した注湯量（式２）の９０％の注湯を検出すると、注湯電磁弁５を閉じる。この時の浴槽の水位を水位センサ８より検出し浴槽水位検出手段１２により設定水位になっているかの判定をする。浴槽６の水位が設定水位になっている場合は、浴槽６の湯を設定温度まで沸き上げて保温する。浴槽６の水位が設定水位になっていない場合は、浴槽水位検出手段１２により設定水位までの注湯量を算出し、注湯電磁弁５を開け、湯張り手段１８により浴槽６へ湯張りを行う。流量検出手段１１により設定流量まで注湯したことを確認すると注湯電磁弁５を閉じ浴槽６の湯を設定温度まで沸き上げて保温する。これによって、使用者が水位設定を変更した後に湯張り時間を短縮しようとした場合にも、短時間で湯張りすることができる。
【００４０】
（実施の形態５）
図１は、本発明の第５の実施の形態としての給湯機の構成図である。また図２、図３は、本発明の実施の形態の制御動作を示すフローチャートである。実施の形態１と同様の構成についての説明は省略する。
【００４１】
熱源機リモコン１に高速湯張り操作手段２３を設けることで、使用者が高速湯張り操作手段２３を操作することで、湯張り切換え手段２０は高速湯張り手段１９にて浴槽６に湯張りを行うのか、湯張り手段１８にて湯張りを行うかを選択することができる。なお、高速湯張り操作手段２３は自動スイッチ２２の長押しや他のスイッチの同時押しでも操作可能とする。
【００４２】
（実施の形態６）
図１は、本発明の第６の実施の形態としての給湯機の構成図である。また図２、図３は、本発明の実施の形態の制御動作を示すフローチャートである。実施の形態１と同様の構成についての説明は省略する。
【００４３】
熱源機リモコン１に高速湯張り中表示手段２４を設けることで、使用者が高速湯張り操作手段２３を操作し、高速湯張り手段１９にて浴槽６に湯張り中である場合に高速湯張り中表示手段２４により高速湯張り中であることを表示することで、使用者が高速湯張り中であることがわかる。
【００４４】
（実施の形態７）
図１は、本発明の第７の実施の形態としての給湯機の構成図である。また図２、図３は、本発明の実施の形態の制御動作を示すフローチャートである。実施の形態１と同様の構成についての説明は省略する。
【００４５】
熱源機リモコン１に高速湯張り中断表示手段２７を設けることで、使用者が高速湯張り操作手段２３を操作し、高速湯張り手段１９にて浴槽６に湯張りをしようとした場合に、例えば浴槽残湯有無検出手段１７により浴槽６に残湯があると判断し、高速湯張り手段１９にて湯張りを行わずに湯張り手段１８にて湯張りを行う場合等には、高速湯張り中断表示手段２７により熱源機リモコン１に高速湯張りを中断したことを表示することで、使用者が高速湯張りを中断したことがわかる。
【産業上の利用可能性】
【００４６】
以上のように、本発明にかかる注湯注湯制御装置は、浴槽に残湯がある場合に、使用者が浴槽内の確認をせずに特殊な操作をして湯張り時間を短縮しようとした場合に、浴槽の残湯がある場合には、高速湯張りを行わずに湯張り運転を行うことで、浴槽から湯が溢れない。また、浴槽の残湯がない場合には、短時間で湯張りすることができるので、家庭用自動風呂給湯機に適用できる。
【図面の簡単な説明】
【００４７】
【図１】本発明の実施の形態１〜７における給湯機の構成図
【図２】本発明の実施の形態１〜７における注湯制御装置の湯張り手段の動作を示すフローチャート
【図３】本発明の実施の形態１〜７における注湯制御装置の高速湯張り手段の動作を示すフローチャート
【符号の説明】
【００４８】
１  熱源機リモコン
２  熱交換器
３  給湯流量センサ
４  注湯流量センサ
５  注湯電磁弁（注湯制御弁）
６  浴槽
７  ふろポンプ
８  水位センサ
９  ふろ水流スイッチ
１０  ふろアダプター
１１  流量検出手段
１２  浴槽水位検出手段
１３  前回注湯量記憶手段
１４  浴槽断面積記憶手段
１５  基準水位記憶手段
１６  注湯量演算手段
１７  浴槽残湯有無検出手段
１８  湯張り手段
１９  高速湯張り手段
２０  湯張り切換え手段
２１  ふろ水流検出手段
２３  高速湯張り操作手段
２４  高速湯張り中表示手段
２６  水位設定変更手段
２７  高速湯張り中断表示手段
【図１】
2006071218.tif 000003
【図２】
2006071218.tif 000004
【図３】
2006071218.tif 000005